(57)【要約】【課題】スプール軸に対してロック・ロック解除可能なスプールにおいて、スプールの回転位相が変化してもロック・ロック解除操作を容易にできるようにする。【解決手段】スピニングリールのスプールは、糸巻胴部５０と、前フランジ部５１と、ロック機構５２と、ロック操作機構５３とを備えている。糸巻胴部は、スプール軸２０に回転自在に装着され外周に釣り糸が巻き付けられるものである。前フランジ部は、糸巻胴部の前側に設けられ糸巻胴部より大径のものである。ロック機構は、糸巻胴部をスプール軸に対して少なくとも糸繰り出し方向に回転不能にロックするロック状態と回転可能にロック解除するロック解除状態とを取り得る。ロック操作機構は、糸巻胴部の一端部に回動自在に装着された環状の操作部５９を有し、操作部の糸巻胴部に対する両方向の回動によりロック機構をロック・ロック解除する。【選択図】      図２
2004180585.tif 000002
【特許請求の範囲】
【請求項１】
スピニングリールのリール本体に前後移動自在に装着されたスプール軸の先端に装着されるスピニングリールのスプールであって、
前記スプール軸に回転自在に装着され外周に釣り糸が巻き付けられる糸巻胴部と、
前記糸巻胴部の前側に設けられ前記糸巻胴部より大径の前フランジ部と、
前記糸巻胴部を前記スプール軸に対して少なくとも糸繰り出し方向に回転不能にロックするロック状態と回転可能にロック解除するロック解除状態とを取り得るロック手段と、
前記糸巻胴部の一端部に前記スプール軸回りに回動自在に装着された環状の操作部を有し、前記操作部の前記糸巻胴部に対する両方向の回動により前記ロック手段をロック・ロック解除する操作手段と、
を備えたスピニングリールのスプール。
【請求項２】
前記糸巻胴部の後端部に回動自在に装着され前記糸巻胴部より大径に形成された筒状のスカート部をさらに備え、
前記操作部は前記スカート部を有する、請求項１に記載のスピニングリールのスプール。
【請求項３】
前記ロック手段は、前記ロック状態で前記糸巻胴部の繰り出し方向の回転をロックし、糸巻取方向の回転を許容する、請求項１又は２に記載のスピニングリールのスプール。
【請求項４】
前記ロック手段は、
前記スプール軸に回転不能に装着され、外周面に係止部を有するロック部材と、
第１端が前記ロック部材の係止部に係止されるロック位置と前記係止部から離反する解除位置とに揺動自在に前記糸巻胴部に装着され、前記第１端と揺動中心を挟んだ第２端が前記操作部に係合するロック爪とを有し、
前記操作手段は、
前記糸巻胴部に対する前記操作部の回動範囲を規制する規制手段と、
前記操作部と前記糸巻胴部との間に配置され、前記操作部を回動範囲の両端に振り分けて付勢するトグルばね機構と、
前記操作部の前記両方向の回動に連動して前記ロック爪を前記ロック位置と前記解除位置とに揺動させるように前記第２端を前記操作部に連結する連結手段とを有する、請求項１から３のいずれかに記載のスピニングリールのスプール。
【請求項５】
前記糸巻胴部は、
外周に釣り糸が巻き付けられる第１筒状部と、
前記第１筒状部の後端部に一体形成され前記第１筒状部より大径の第１フランジ部と、
前記スプール軸に回転自在に装着される筒状のボス部と、
前記ボス部と前記第１筒状部とを連結する円板状の壁部とを有し、
前記操作部は、
前記第１フランジ部に対向して配置された第２フランジ部と、
前記第２フランジ部の外周側から前記リール本体に向かって延びる第２筒状部と、
前記第２フランジ部の内周側から第１筒状部の内周面に沿って前記リール本体から離れる方向に延び前記第１筒状部に回動自在に支持された第３筒状部と、
前記第３筒状部の先端から前記スプール軸に向かって形成された第３フランジ部とを有し、
前記規制手段は、
前記第１及び第２フランジ部のいずれか一方に前記回動範囲に応じた長さで形成された円弧状の第１長孔と、
前記第１及び第２フランジ部のいずれか他方に前記第１長孔を貫通可能に装着され前記長孔に係止される係止ピンとを有する、請求項４に記載のスピニングリールのスプール。
【請求項６】
前記トグルばね機構は、前記ボス部と前記壁部との間に配置されている、請求項５に記載のスピニングリールのスプール。
【請求項７】
前記ロック爪は、前記糸巻胴部の壁部に揺動自在に装着されている、請求項５又は６に記載のスピニングリールのスプール。
【請求項８】
前記連結手段は、
前記第３フランジ部に前記回動範囲と前記ロック爪の揺動範囲とに応じた長さで形成された円弧状の第２長孔と、
前記ロック爪の第２端に設けられ、前記第２長孔に係止される連結ピンとを有する、請求項５から７のいずれかに記載のスピニングリールのスプール。
【請求項９】
前記糸巻胴部の内部に前記糸巻胴部を押圧可能に装着された摩擦部と、
前記スプール軸の先端に螺合し前記摩擦部を押圧するつまみ部とを有するドラグ機構をさらに備える、請求項１から８のいずれかに記載のスピニングリールのスプール。
【発明の詳細な説明】
【０００１】
【発明の属する技術分野】
本発明は、スプール、特に、スピニングリールのリール本体に前後移動自在に装着されたスプール軸の先端に装着されるスピニングリールのスプールに関する。
【０００２】
【従来の技術】
スピニングリールには、釣り糸を巻き付けるためにスプールが装着されている。スプールは、ハンドルの回転によりリール本体に対して前後移動するスプール軸の先端に装着されている。スプールは、外周に釣り糸が巻き付けられる糸巻胴部と、糸巻胴部と一体形成されたスカート部とを有している。スプールには、スプール軸の先端にドラグ機構を介して装着されているものと、スプール軸の先端に回転不能に装着されているものとがある。また、スプールの両側方にはロータのロータアームが配置されており、ロータアームの先端にはスプールに釣糸を案内するためのベールアームが装着されている。
【０００３】
このようなスピニングリールでは、巻取時には、ハンドルを回すとロータアームが回転するとともにスプール軸が前後移動し、ベールアームがスプールの周りを回転して釣り糸をスプールに巻き付ける。繰り出し時には、ベールアームを開放姿勢することで釣り糸がスプールから前方に向けて放出される。
ドラグ機構を介してスプール軸に連結されたスピニングリールでは、仕掛けがなにかに引っ掛かる根掛かりが生じたとき、ドラグ力を最大にしてもドラグ機構が作動してスプールが回り釣り糸を切断できないときがある。また、太い釣り糸で大物を強引に釣り上げるときにもドラグ機構が作動してスプールが回り釣り糸を巻き取れないことがある。
【０００４】
遠投用のスピニングリールでは、砂浜から遠いポイントに仕掛けを飛ばすキャスティングを行うときには、投げる前にハンドルを回転させてスプールを往復ストロークの最前方に位置させることがある。このようにスプールを最前方に位置させると、スプールから放出される釣糸とロータアームとの干渉を最小限に抑えることができ、仕掛けを遠くのポイントに飛ばしやすい。しかし、ハンドルによりスプールを最前方位置に配置すると、ロータも回転するため、仕掛けの垂らし長さ（竿先から仕掛けまでの釣り糸の長さ）が変化してしまう。仕掛けの垂らし長さが変化すると、仕掛けを遠くに飛ばしにくくなる。
【０００５】
また、遠投用のスピニングリールでは、ドラグ力が弱いとキャスティング時の仕掛けに働く遠心力によりスプールが回転して釣り糸が繰り出されることがある。スプールの回転により釣り糸が繰り出されると、ドラグ抵抗により仕掛けを遠くに飛ばせなくなることがある。そこで、キャスティング時にドラグ力を強くしてキャスティングすることが行われている。しかし、ドラグ力を強くしてキャスティングすると、キャスティング後にもとのドラグ力に正確に戻すのが煩わしい。
【０００６】
これらの問題を解決できるロック機構を有するスピニングリールが、従来知られている（特許文献１参照）。このスピニングリールは、スプールをスプール軸に対してロック・ロック解除可能なものである。従来のスピニングリールは、糸巻胴部の後部にスプール軸に回転不能に装着され外周面に係止部を有するロック部材及び糸巻胴部の後面にロック部材の係止部に係合するロック爪を有するロック手段と、スカート部に設けられロック手段をロック・ロック解除する操作手段とを備えている。操作手段は、スカート部に周方向移動自在にスカート部から突出して設けられている。この操作手段を周方向のロック位置とロック解除位置とに移動させることにより、スプールをスプール軸に対してロック・ロック解除できる。
【０００７】
このような構成の従来のスピニングリールでは、ドラグ機構を有するスピニングリールの場合、スプールをスプール軸にロックすればドラグ機構が作動しなくなる。ドラグ機構が作動しなければ、スプールが回転しないので、根掛かりや大物釣りに対応できる。また、キャスティング時にロックして着水後にロック解除すればもとのドラグ力に容易に戻すことができる。さらに、スプールを最前方位置にした状態でロック解除すれば、スプールを回転させて仕掛けの垂らし長さを変更できる。
【０００８】
【特許文献１】
実公平１−２３２６５公報（たとえば、２頁第４欄、第２図参照）。
【０００９】
【発明が解決しようとする課題】
前記従来のスピニングリールのスプールでは、ロック手段を操作する操作手段がスカート部に周方向に移動自在に設けられている。スカートを含むスプールは、ドラグが作動すると糸繰り出し方向に回転する。このため、操作手段の位置がスプールの回転位相によって変化する。操作手段の位置が変化すると、ロックやロック解除の操作をとっさに行おうとしても、操作手段を位置を確認しなければならず、ロック・ロック解除操作を瞬時に行いにくい。
【００１０】
また、スプールのスカート部に操作手段が突出して設けられているので、糸ふけなどにより釣り糸がスプール後方に回り込んだとき、操作手段に釣り糸が絡むおそれがある。
本発明の課題は、スプール軸に対してロック・ロック解除可能なスプールにおいて、スプールの回転位相が変化してもロック・ロック解除操作を容易にできるようにすることにある。
【００１１】
本発明の別の課題は、スプール軸に対してロック・ロック解除可能なスプールにおいて、糸絡みを抑えることができるようにすることにある。
【００１２】
【課題を解決するための手段】
発明１に係るスピニングリールのスプールは、スピニングリールのリール本体に前後移動自在に装着されたスプール軸の先端に装着されるスプールであって、糸巻胴部と、前フランジ部と、ロック手段と、操作手段とを備えている。糸巻胴部は、スプール軸に回転自在に装着され外周に釣り糸が巻き付けられるものである。前フランジ部は、糸巻胴部の前側に設けられ糸巻胴部より大径のものである。ロック手段は、糸巻胴部をスプール軸に対して少なくとも糸繰り出し方向に回転不能にロックするロック状態と回転可能にロック解除するロック解除状態とを取り得る手段である。操作手段は、糸巻胴部の一端部に回動自在に装着された環状の操作部を有し、操作部の糸巻胴部に対する両方向の回動によりロック手段をロック・ロック解除する手段である。
【００１３】
このスプールでは、操作手段の操作部をスプール軸回りの両方向のいずれか一方に回動させることによりロック手段がロック状態になり、糸巻胴部をスプール軸に対してロックでき、他方向に回動させることによりロック解除できる。したがって、ドラグ機構を有するスプールの場合には、ロック状態でドラグ機構が動作しないのでスプールを完全にロックできる。また、ロック解除すればドラグ機構を動作させることができる。また、ドラグ機構を有さない場合には、ロック状態にすればスプールが自由回転可能状態になる。ここでは、糸巻胴部に対して回動する操作手段の操作部を環状に形成し、この環状の操作部の回動操作によりロック手段をロック状態とロック解除状態とに切り換えできるので、スプールの回転位相がどのような位置にあっても操作部を操作できる。このため、スプールの回転位相が変化してもロック・ロック解除操作を容易にできるようになる。また、環状の操作部で操作できるので、操作部を突出させる必要がなくなりスプールに余分の突起がなくなり、糸絡みが生じにくくなる。
【００１４】
発明２に係るスピニングリールのスプールは、発明１に記載のスプールにおいて、糸巻胴部の後端部に回動自在に装着され糸巻胴部より大径に形成された筒状のスカート部をさらに備え、操作部はスカート部を有する。この場合には、スカート部と操作部とを兼用できるので、スプールの構成が簡素になるとともに、スカート部の外周に釣り糸が絡みにくくなる。
【００１５】
発明３に係るスピニングリールのスプールは、発明１又は２に記載のスプールにおいて、ロック手段は、ロック状態で糸巻胴部の繰り出し方向の回転をロックし、糸巻取方向の回転を許容する、この場合には、ロック状態でも糸巻取方向にはスプールを回転させることができるので、ロック状態でも仕掛けの垂らし長さを糸巻取方向に回転させて調整できる。
【００１６】
発明４に係るスピニングリールのスプールは、発明１から３のいずれかに記載のスプールにおいて、ロック手段は、スプール軸に回転不能に装着され、外周面に係止部を有するロック部材と、第１端がロック部材の係止部に係止されるロック位置と係止部から離反する解除位置とに揺動自在に糸巻胴部に装着され、第１端と揺動中心を挟んだ第２端が操作手段に係合するロック爪とを有し、操作手段は、糸巻胴部に対する操作の回動範囲を規制する規制手段と、操作部と糸巻胴部との間に配置され、操作部を回動範囲の両端に振り分けて付勢するトグルばね機構と、操作部の両方向の回動に連動してロック爪をロック位置と解除位置とに揺動させるように第２端を操作部に連結する連結手段とを有する。この場合には、ロック爪を連結手段により操作部と連結し、操作部の回動によりロック爪をロック部材の係止部に係止するロック位置と離反する離反位置とに操作する。この操作部は、トグルばね機構により回動範囲の両端に付勢されるので、ロック爪が両位置で確実に保持され、キャスティングなどの影響によりロック手段の状態が変化しにくい。
【００１７】
発明５に係るスピニングリールのスプールは、発明１に記載のスプールにおいて、糸巻胴部は、外周に釣り糸が巻き付けられる第１筒状部と、第１筒状部の後端部に一体形成され第１筒状部より大径の第１フランジ部と、スプール軸に回転自在に装着される筒状のボス部と、ボス部と第１筒状部とを連結する円板状の壁部とを有し、操作部は、第１フランジ部に対向して配置された第２フランジ部と、第２フランジ部の外周側からリール本体に向かって延びる第２筒状部と、第２フランジ部の内周側から第１筒状部の内周面に沿ってリール本体から離れる方向に延び第１筒状部に回動自在に支持された第３筒状部と、第３筒状部の先端からスプール軸に向かって形成された第３フランジ部とを有し、規制手段は、第１及び第２フランジ部のいずれか一方に回動範囲に応じた長さで形成された円弧状の第１長孔と、第１及び第２フランジ部のいずれか他方に第１長孔を貫通可能に装着され第１長孔に係止される係止ピンとを有する。この場合には、両フランジ部の対向部分で操作部と糸巻胴部との回動範囲を規制できるとともに、第１筒状部の内周面に沿って延びる第３筒状部によって操作部を糸巻胴部に対して回動自在に装着できる。
【００１８】
発明６に係るスピニングリールのスプールは、発明５に記載のスプールにおいて、トグルばね機構は、ボス部と壁部との間に配置されている。この場合には、ボス部とボス部の外周面と対向する壁部との間にトグルばね機構を配置することにより、トグルばね機構の配置が容易になる。
発明７に係るスピニングリールのスプールは、発明５又は６に記載のスプールにおいて、ロック爪は、糸巻胴部の壁部に揺動自在に装着されている。この場合には、糸巻胴部の壁部にロックつめを揺動自在に装着しているので、スプール軸に装着されたロック部材に接触させやすくなるとともに、操作部との連結も容易になる。
【００１９】
発明８に係るスピニングリールのスプールは、発明５から７のいずれかに記載のスプールにおいて、連結手段は、第３フランジ部に回動範囲とロック爪の揺動範囲とに応じた長さで形成された円弧状の第２長孔と、ロック爪の第２端に設けられ、第２長孔に係止される連結ピンとを有する。この場合には、操作部の回動範囲をロック爪の揺動範囲より大きくして操作性を向上させることができる。
【００２０】
発明９に係るスピニングリールのスプールは、発明１から８のいずれかに記載のスプールにおいて、糸巻胴部の内部に糸巻胴部を押圧可能に装着された摩擦部と、スプール軸の先端に螺合し摩擦部を押圧するつまみ部とを有するドラグ機構をさらに備える。この場合には、ドラグ機構を設けることにより、ロック手段をロック状態とロック解除状態とに切り換えて、ドラグを操作することなくスプールロック状態とドラグ作動状態とを瞬時に切り換えられる。
【００２１】
【発明の実施の形態】
図１において、本発明の一実施形態を採用したスピニングリールは、主に投げ釣り用のフロントドラグ型のスピニングリールであって、ハンドル１を回転自在に支持するリール本体２と、ロータ３と、スプール４とを備えている。ロータ３は、リール本体２の前部に回転自在に支持されている。スプール４は釣り糸をその外周面に巻き取るものであり、ロータ３の前部に前後移動可能に配置されている。
【００２２】
リール本体２は、ロータ３やスプール４を支持するリールボディ１０と、リールボディ１０から上方に延びる竿取付脚部１２とを有している。リールボディ１０はたとえばアルミニウム合金製の部材であり、ハンドル１を左右何れからか装着可能なものである。リールボディ１０の内部には、ロータ３を回転させるためのロータ駆動機構５と、スプール４を前後移動させて均一に釣り糸を巻き取るためのレベルワインド機構６とが設けられている。
【００２３】
竿取付脚部１２は、リールボディ１０から上方に斜め前方に延びる部材であり、リールボディ１０と一体で略Ｔ字型に形成されている。
ロータ駆動機構５は、ハンドル軸７にハンドル軸７と一体で形成されたマスターギア１３と、マスターギア１３に噛み合うピニオンギア１４とを有している。ピニオンギア１４は筒状に形成されており、ピニオンギア１４の前部はロータ３の中心部を貫通してスプール４側に延びている。そして、その先端にはねじ部が形成されている。ピニオンギア１４は、その軸方向の中間部と後端部とが、それぞれ軸受１５、１６を介してリール本体２に回転自在に支持されている。
【００２４】
レベルワインド機構６は、図１に示すように、スプール４の中心部を先端で固定したスプール軸２０を前後方向に往復移動させてスプール４を同方向に移動させるための機構である。レベルワインド機構６は、スプール軸２０の上方に配置された螺軸２１と、螺軸２１に沿って前後方向に移動するスライダ２２と、螺軸２１の先端に固定された中間ギア２３とを有している。螺軸２１は、スプール軸２０と平行に配置されており、先端部がロータ３の内部でリールボディ１０に回転自在に支持されている。また、螺軸２１の外周部には螺旋状の溝２１ａが形成されている。スライダ２２にはスプール軸２０の後端が軸方向移動不能及び回転不能に固定されている。スライダ２２は、螺軸２１の上方及び下方に平行に配置されたガイド軸２４ａ、２４ｂにより軸方向に案内される。中間ギア２３は、螺軸２１の先端部に固定されており、ピニオンギア１４に噛み合っている。
【００２５】
ロータ３は、円筒部３０と、円筒部３０の側方に互いに対向して設けられた第１ロータアーム３１及び第２ロータアーム３２とを有している。円筒部３０と第１ロータアーム３１及び第２ロータアーム３２とは一体成形されている。円筒部３０の前部には前壁３３が形成されており、前壁３３の中央部にはボス３３ａが形成されている。このボス３３ａの貫通孔をピニオンギア１４の前部及びスプール軸２０が貫通している。前壁３３の前方側にはナット３４が配置されており、このナット３４がピニオンギア１４の先端のねじ部に螺合している。ナット３４の内周部には、ナット３４をスプール軸２０に対して回転自在に支持するための軸受３５が配置されている。
【００２６】
また、円筒部３０の内部にはロータ３の逆転防止機構３７が配置されている。逆転防止機構３７は、図示しないローラ型のワンウェイクラッチと、ワンウェイクラッチを作動状態及び非作動状態に切り換える操作機構３８とを有している。ワンウェイクラッチは、外輪がリールボディ１０に固定され、内輪がピニオンギア１４に固定されている。操作機構３８は、リールボディ１０の下部に配置された操作レバー３９を有しており、操作レバー３９を揺動させることでワンウェイクラッチが２つの状態に切り換られ、作動状態のときにロータ３が逆転不能になり、非作動状態のときロータ３が逆転可能になる。
【００２７】
第１ロータアーム３１及び第２ロータアーム３２の先端の内周側には、図１から図３に示すように、第１ベール支持部材４０及び第２ベール支持部材４１がそれぞれ揺動自在に装着されている。第１ベール支持部材４０は第１ロータアーム３１に回転自在に支持されている。第１ベール支持部材４０及び第２ベール支持部材４１の先端には、釣り糸をスプール４に案内するために釣り糸案内機構４２が装着されている。
【００２８】
釣り糸案内機構４２は、第１ベール支持部材４０に一端が固定された図示しない固定軸と、固定軸と一体で形成された固定軸カバー４４と、概略筒状のラインローラ４５と、ベール４６とを有している。ベール４６は、第２ベール支持部材４１と固定軸カバー４４とに両端が固定され、スプール４の周方向外方に湾曲して配置され、釣り糸を固定軸カバー４４を介してラインローラ４５に導く。
【００２９】
スプール４は、図１から図３に示すように、ロータ３の第１ロータアーム３１と第２ロータアーム３２との間に配置されており、スプール軸２０の先端にドラグ機構６０を介して連結されている。
スプール４は、図２に拡大して示すように、スプール軸２０に回転自在に装着され外周に釣り糸が巻き付けられる糸巻胴部５０と、糸巻胴部５０の前側に一体で設けられ糸巻胴部５０より大径の前フランジ部５１と、ロック機構５２と、ロック操作機構５３と、糸巻胴部５０の後端部に回動自在に装着され糸巻胴部５０より大径に形成された筒状のスカート部５４とを有している。
【００３０】
糸巻胴部５０は、外周に釣り糸が巻き付けられる第１筒状部５０ａと、第１筒状部５０ａの後端部に一体形成され第１筒状部５０ａより大径の第１フランジ部５０ｂと、スプール軸２０に回転自在に装着される筒状のボス部５０ｃと、ボス部５０ｃと第１筒状部５０ａとを連結する円板状の壁部５０ｄと、壁部５０ｄの前面に形成された筒状のドラグ収納部５０ｅとを有している。第１筒状部５０ａは、前側がわずかに縮径したテーパ状の外周面を有している。
【００３１】
第１フランジ部５０ｂには、周方向の４箇所に係止ピン７０がねじ込まれている。ボス部５０ｃとスプール軸２０との間には、鍔７１ａ付きのブッシュ７１が装着されており、これにより、スプール４がスプール軸２０に対して回転自在に装着されている。壁部５０ｄの後面には、ロック機構５２のロック爪５８を装着するための段付きの軸ボス部５０ｆが後方に突出して形成されている。ドラグ収納部５０ｅは、ドラグ収納部５０ｅから放射状に第１筒状部５０ａに向けて形成された４つのリブ５０ｇにより補強されている。リブ５０ｇには、ドラグ機構６０の後述するドラグディスクを抜け止めするための抜け止め板５５がねじ５６により固定されている。また、リブ５０ｇの形成部分のドラグ収納部５０ｅの内周面には、ドラグディスクを回り止めするための係止溝５０ｈが４箇所形成されている。抜け止め板５５は、前フランジ部５１の前面及びリブ５０ｇの前面に接触して配置されている。なお、図２では、スプール軸２０を挟んでリブ５０ｇ形成部分と非形成部分との断面を描いている。
【００３２】
ロック機構５２は、糸巻胴部５０をスプール軸２０に対して少なくとも糸繰り出し方向に回転不能にロックするロック状態と回転可能にロック解除するロック解除状態とを取り得る機構である。ロック機構５２は、図２〜図４に示すように、スプール軸２０に回転不能に装着されたロック部材５７と、ロック部材５７に係止されるロック爪５８とを有している。
【００３３】
ロック部材５７は、外周面に周方向に間隔を隔てて配置された複数の凹凸からなる係止部５７ａを有する円板状の部材であり、内周面にスプール軸２０の先端に互いに並行に形成された面取り部２０ａに係合する長円形のスリット５７ｂを有している。また、ロック部材５７は、面取り部２０ａの後端にブッシュ７１の鍔７１ａの後面に接触して配置されており、面取り部２０ａの段差に接触してドラグ機構６０により押圧されるスプール４の後方への移動を規制する機能も有している。
【００３４】
ロック爪５８は、先端５８ａがロック部材５７の係止部５７ａに係止されるロック位置（図３）と係止部５７ａから離反する解除位置（図４）とに揺動自在に糸巻胴部５０の軸ボス部５０ｆに装着されている。ロック爪５８の先端５８ａと揺動中心を挟んで逆側の基端部５８ｂはロック操作機構５３に係合している。基端部５８ｂには、ロック操作機構５３に係止される連結ピン５８ｃがロック操作機構５３に向けて突出している。ロック爪５８は、矢符Ａで示すスプール４の糸繰り出し方向の回転をロックするように、先端５８ａが糸繰り出し方向上流側に向けて配置されている。したがって、スプール４の糸繰り出し方向の回転は許容される。
【００３５】
ロック操作機構５３は、糸巻胴部５０の後端部にスプール軸回りに回動自在に装着された環状の操作部５９を有し、操作部５９の糸巻胴部５０に対する両方向の回動によりロック機構５２をロック・ロック解除するものである。また、ロック操作機構５３は、糸巻胴部５０に対する操作部５９の回動範囲を規制する規制機構７２と、操作部５９と糸巻胴部５０との間に配置され、操作部５９を回動範囲の両端に振り分けて付勢するトグルばね機構７３と、操作部５９の両方向の回動に連動してロック爪５８をロック位置と解除位置とに揺動させるようにロック爪５８の基端部５８ｂを操作部５９に連結する連結機構７４とを有している。
【００３６】
操作部５９は、第１フランジ部５０ｂに対向して配置された第２フランジ部５９ａと、第２フランジ部５９ａの外周側から前記リール本体２に向かって延びる第２筒状部５９ｂと、第２フランジ部５９ａの内周側から第１筒状部５０ａの内周面に沿ってリール本体２から離れる方向に延びる第３筒状部５９ｃと、第３筒状部５９ｃの先端からスプール軸２０に向かって形成された第３フランジ部５９ｄと、第３筒状部５９ｃの前端から前方に延びた後にスプール軸２０に向かって延びるトグル取付部５９ｅとを有している。この第２筒状部５９ｂがスカート部５４を兼ねている。
【００３７】
第２フランジ部５９ａには、係止ピン７０が貫通する円弧状の第１長孔７２ａが円周方向の４箇所に操作部５９の回動範囲に応じた長さで形成されている。この係止ピン７０と第１長孔７２ａとにより操作部５９の回動範囲を規制する規制機構７２が構成されている。この実施形態では、第１長孔７２ａは、スプール軸芯に対して略３５度の角度となるような長さで形成されている。
【００３８】
第３筒状部５９ｃは、第１筒状部５０ａの内周面に回動自在に支持されている。第３筒状部５９ｃは、第１筒状部５０ａと同様に僅かに先細りに形成されている。
第３フランジ部５９ｄは、中心が大きく開口するリング状の部材であり、そこには、ロック爪５８の基端部５８ｂに立設された連結ピン５８ｃが係止される円弧状の第２長孔７４ａが形成されている。この連結ピン５８ｃと第２長孔７４ａとにより、操作部５９の両方向の回動に連動してロック爪５８をロック位置と解除位置とに揺動させるようにロック爪５８と操作部５９とを連結する連結機構７４が構成される。すなわち、第２長孔７４ａの図３左端に連結ピン５８ｃに配置された状態の位置から操作部５９が矢符Ａで示す方向に回動して、図４に示す位置に到達すると、第２長孔７４ａの右端に連結ピン５８ｃが係止されて、回動途中でロック爪５８が揺動を開始し、ロック位置に揺動する。
【００３９】
トグルばね機構７３は、トグル取付部５９ｅに揺動自在に装着されたガイド筒部７３ａと、ガイド筒部７３ａ内に進退自在に装着されたバネ軸７３ｂと、バネ軸７３ａを進出方向に付勢するコイルばね７３ｃとを有している。バネ軸７３ｂの先端は、糸巻胴部５０の壁部５０ｄに円弧状に凹んで形成された係止凹部５０ｉに当接する半円断面を有している。トグルばね機構７３は、糸巻胴部５０と操作部５９とが相対回動すると、その回動範囲の中心を死点として回動範囲の両側に向けて操作部５９を振り分けて付勢する。
【００４０】
ドラグ機構６０は、図２に示すように、スプール軸２０の先端に形成された雄ねじ部２０ｂに螺合するナット８０を有する操作つまみ８１と、操作つまみ８１により押圧される、たとえば６枚のドラグディスク８２〜８７とを有している。ドラグディスク８２は、操作つまみ８１に接触しており、ドラグディスク８７は、糸巻胴部５０の壁部５０ｄの前面に接触している。その間にドラグディスク８３〜８６がこの順に配置されている。ドラグディスク８２，８６は，たとえば金属製の部材であり、内周面に面取り部２０ａに回転不能に係止されるスリット（図示せず）が形成されている。ドラグディスク８３，８５，８７は，たとえばフェルト製である。ドラグディスク８４は、たとえば金属製の部材であり、外周部に係止溝５０ｈに係合する耳部８４ａが径方向に突出して４箇所形成されている。
【００４１】
ドラグ機構６０では、スプール４がスプール軸に対して回転可能な状態で操作つまみ８１を回すことで、ドラグディスク８２〜８７への圧接力を変化させ、ドラグ力を調整できる。
このように構成されたスピニングリールのスプール４では、操作部５９を回動することにより、スプール４をスプール軸２０に対して回動不能なロック状態と回動可能なロック解除状態に切り換えることができる。スカート部５４を含む操作部５９を図３に示す位置に配置すると、ロック爪５８がロック部材５７の係合部に接触してスプール４の糸繰り出し方向の回転が禁止され、スプール４がロック状態になる。この状態では、ドラグ機構６０によるドラグ力は作用せずにスプール４は、スプール軸２０に対してロックされる。このため、根掛かりしたときなどに釣糸を切断しやすくなる。
【００４２】
そして、スカート部５４を糸巻胴部５０に対して回動させて図３に示す位置から図４に示す位置に配置すると、第２長孔７４ａにより連結ピン５８ｃが係止されてロック爪５８が離反位置に揺動し、ロック解除される。このとき、トグルばね機構７３の死点を超えると、操作部５９はロック解除する位置側に付勢されるため、ロック爪５８は解除位置側に保持される。この状態では、スプール４はスプール軸２０に対して相対回転可能であるため、ドラグ機構６０によるドラグ力がスプール４に作用する。したがって、スプール４をロックした後に設定されたドラグ力に簡単に戻すことができる。
【００４３】
ここでは、糸巻胴部５０に対して回動する操作機構の操作部５９を環状に形成し、この環状の操作部５９の回動操作によりロック機構５２をロック状態とロック解除状態とに切り換えできるので、スプール４の回転位相がどのような位置にあっても操作部５９を操作できる。このため、スプールの回転位相が変化してもロック・ロック解除操作を容易にできるようになる。また、環状の操作部５９で操作できるので、操作部５９を突出させる必要がなくなりスプールに余分の突起がなくなり、糸絡みが生じにくくなる。
【００４４】
〔他の実施形態〕
（ａ）前記実施形態では、操作部５９をスカート部に設けたが、操作部を前フランジ部に設けてもよい。
（ｂ）前記実施形態では、ドラグ機構６０をスプール４に内蔵したが、ドラグ機構を有さないスプールにも本発明を適用できる。この場合、スプールをロック状態と回転可能状態とに切り換えることができる。このため、仕掛けの垂らし長さを容易に変更でき、ドラグ機構を有さない投げ釣り用のスピニングリールに好適である。
【００４５】
（ｃ）実施形態では、スプール内にドラグ機構を有するフロントドラグ型のスピニングリールを例に説明したが、リアドラグ型のスピニングリールや、ロータを制動するレバーブレーキ型のスピニングリールのスプールにも本発明を適用できる。
【００４６】
【発明の効果】
本発明によれば、糸巻胴部に対して回動する操作手段の操作部を環状に形成し、この環状の操作部の回動操作によりロック手段をロック状態とロック解除状態とに切り換えできるので、スプールの回転位相がどのような位置にあっても操作部を操作できる。このため、スプールの回転位相が変化してもロック・ロック解除操作を容易にできるようになる。また、環状の操作部で操作できるので、操作部を突出させる必要がなくなりスプールに余分の突起がなくなり、糸絡みが生じにくくなる。
【図面の簡単な説明】
【図１】本発明の一実施形態を採用したスピニングリールの側面断面図。
【図２】そのスプールの断面拡大図。
【図３】ロック状態においてスプールを後方から見た断面図。
【図４】ロック解除状態においてスプールを後方から見た断面図。
【符号の説明】
２  リール本体
４  スプール
２０  スプール軸
５０  糸巻胴部
５０ａ  第１筒状部
５０ｂ  第１フランジ部
５０ｃ  ボス部
５０ｄ  壁部
５１  前フランジ部
５２  ロック機構
５３  ロック操作機構
５４  スカート部
５７  ロック部材
５８  ロック爪
５９  操作部
５９ａ  第２フランジ部
５９ｂ  第２筒状部
５９ｃ  第３筒状部
５９ｄ  第３フランジ部
７０  係止ピン
７２  規制機構
７２ａ  第１長孔
７３  トグルばね機構
７４  連結機構
７４ａ  第２長孔
【図１】
2004180585.tif 000003
【図２】
2004180585.tif 000004
【図３】
2004180585.tif 000005
【図４】
2004180585.tif 000006